(57)【要約】      （修正有）【課題】食品容器に盛りつけされた食品や、弁当の形を崩さないで水平に保持して移動できる食品容器水平保持レジ袋を提供する。【解決手段】レジ袋５０の一端が熱融着により封止されて封止部５１が形成されるとともに他端が開口されて開口部５３が形成され、開口部５３は、レジ袋５０の口を結わえる紐となる紐部５４が形成され、幅方向の両端部が内部にＶ字状に折り込まれて奥行きとなる折り込み部が形成され幅方向の両端部の端が熱融着により封止されて、Ｖ字状に折り込まれた開口部５３の熱融着部分を手提げ部５２として形成されたレジ袋５０において、両端部の折り込み部５５は四重に重なっている４枚の薄膜の外側の一枚目に水平孔５６を熱溶融により４箇所に孔開けして形成され、食品容器や弁当容器をレジ袋５０に入れたとき当該容器の４角が水平孔５６に嵌り保持されるので底部に入れた物品はレジ袋５０を持ち上げると水平に保持される構成である。【選択図】図１
0003146353.tif 000002
【実用新案登録請求の範囲】
【請求項１】
レジ袋（５０）の一端が熱融着により封止されて封止部（５１）が形成されるとともに他端が開口されて開口部（５３）が形成され、開口部（５３）は、レジ袋（５０）の口を結わえる紐となる紐部（５４）が形成され、幅方向の両端部が内部にＶ字状に折り込まれて奥行きとなる折り込み部（５５）が形成され幅方向の両端部の端が熱融着により封止されて、Ｖ字状に折り込まれた開口部（５３）の熱融着部分を手提げ部（５２）として形成されたレジ袋（５０）において、該レジ袋（５０）の両端部の折り込み部（５５）は四重に重なっている４枚の薄膜の外側の一枚目に水平孔（５６）を熱溶融により４箇所に孔開けして形成され、食品容器や弁当容器をレジ袋（５０）に入れたとき当該容器の４角が水平孔（５６）に嵌り保持されるので底部に入れた物品はレジ袋（５０）を持ち上げると水平に保持される構成であることを特徴とする食品容器水平保持レジ袋。
【請求項２】
食品容器水平保持レジ袋であって、前記記載の該レジ袋（５０）の４箇所に形成される水平孔（５６）の寸法位置は、熱融着により封止された封止部（５１）と、Ｖ字状に折り込まれて折り込み部（５５）が形成された交点（５７）と、食品容器や弁当容器である直方体の幅方向（ａ）と幅寸法（６０）として、高さ方向（ｂ）と高さ寸法（６４）として、奥行き方向（ｃ）と奥行き寸法（６２）として、直方体容器の幅寸法（６０）は、熱融着により封止された封止部（５１）より短い幅寸法（６０）であること、レジ袋（５０）の両側から等しい幅寸法（６１）をとり封止部（５１）に平行して中央部に幅寸法６０をとり、奥行き寸法（６４）は、封止部（５１）から、垂直上方に奥行き寸法（６４）×１／２の寸法を１／２奥行き寸法（６２）として、幅寸法（６０）と、１／２奥行き寸法（６２）の交わる交点を交点（６３）として、交点（６３）と交点（５７）を直線（６５）で結び、交点（６３）と直線（６５）と、幅寸法（６０）との交点を水平孔（５６）の楕円の中心として、楕円の長辺を直線（６５）と平行に形成して、楕円の短辺は直方体の４角の高さ寸法（６４）が嵌ればよい、楕円の長辺は、高さ寸法（６４）と等しい寸法として形成する構成であることを特徴とする請求項１に記載の食品容器水平保持レジ袋。
【考案の詳細な説明】
【技術分野】
【０００１】  本考案は、盛り付けられた加工食品や弁当を水平に保持するレジ袋に関し、レジ袋とは、コンビニエンスストアやスーパーマーケット等の小売店において、購入した持ち帰り商品を入れるためにレジで渡されるビニールやポリオレフィン等の材質で作られた袋を指す通称で買物袋の一種である。綺麗に盛り付けられ加工食品や弁当は容器に入って販売されている。容器内に盛り付けられた形を崩さないでレジ袋に収納して移動したい。容器は丸形弁当箱や・楕円形弁当箱もあり一般的に直方体が多いようである。容器内に綺麗に盛り付けられた加工食品や弁当等の食品容器を水平に保持する食品容器水平保持レジ袋に関する。
【背景技術】
【０００２】  図５は、従来からある一般的なレジ袋を広げた状態を示した斜視図である。
図６は、図５の平面を示した平面図である。
図７は、図６のＡ−Ａの断面を示した断面図である。
図８は、図５の底面を示した底面図である。
従来の一般的なレジ袋で、一端が熱融着により封止されて封止部８１が形成されるとともに他端が開口されて開口部８３が形成され、開口部８３は、レジ袋の口を結わえる紐となる紐部８４が形成され、幅方向の両端部が内部にＶ字状に折り込まれて奥行きとなる折り込み部８５が形成され幅方向の両端部の端が熱融着により封止され、Ｖ字状に折り込まれた開口部８３の熱融着部分を手提げ部８２として形成されている。【０００３】  図９は、特許文献１の図１で示された手提げポリ袋へ食品容器を収納した平面図である。
図１０は、特許文献１の図３で示された手提げポリ袋内へ粘着部材を設けた図である。
容器に包装された食品、即ち食品容器を購入し、手提げポリ袋へ収納し、手にさげて持ち歩いた時、食品容器は移動して傾いたり、倒れたりするため、容器内の食品が片側に寄せ付けられて団子状になったり、食品の汁が流れ出したりして、せっかくの料理を台無しにする不具合があった。これ等の問題点を解決する手提げポリ袋としての解決手段は、手提げポリ袋内、或いは食品容器の底部、又は周辺近傍に粘着固定して手提げポリ袋内の食品容器の移動を防止する。符号は特許文献の通り表示。発明の名称：手提げポリ袋内の食品容器移動防止装置（例えば、特許文献１参照。）。【０００４】  図８は、特許文献２の図３で示された弁当容器の斜視図である。
お弁当を販売する店の商品授受の際、店員がお弁当をビニール袋に入れる煩わしさを解消する解決手段として、お弁当容器の底面と同じ幅の薄い堅めの紙の両端に紙でできた取っ手を付し、それぞれ同じ長さにし、堅めの紙にはお弁当を結わえるゴムを中央に付し、そのゴムでお弁当を結わえ、取っ手はお弁当容器の上面で折りたたまれた状態で店内の棚に陳列させ、利用者はそのお弁当をレジに運ぶ。符号は特許文献の通り表示。発明の名称：お弁当手持ち（例えば、特許文献２参照。）。
図１１は、特許文献３の図１で示された袋体を実施したポリ袋の平面図である。
図１２は、特許文献３の図３で示された袋体を実施したポリ袋を広げた状態の斜視図である。
加工が簡単にでき、底部が大きな物品でも水平にして収納することが可能なポリ袋とする解決手段は、一端縁が熱融着により封止されて封止部２が形成される共に他端が開口されて開口部３が形成され、幅方向の両側部が内側にＶ字状に折り込まれて折り込み部５，５′が形成されたポリ袋１において、折り込み部５，５′において四重に重なっている４枚の薄膜のうち、外側から２枚の薄膜のすくなくとも一部を接合して接合部６，６′を形成することにより、底部が大きな物品をポリ袋１に入れた場合に広がる袋底を略四角形の平面とみなしたとき、接合部６，６′が形成されている側の袋角に対して、接合部６，６′が形成されていない側の袋角よりも強い力がかかるようにし、ポリ袋１にいれられた物品が傾斜しかかっても、その強い力に押し戻されて元の水平姿勢に復元されるようにする。符号は特許文献の通り表示。発明の名称：袋体（例えば、特許文献３参照。）。【０００５】  特許文献１の手提げポリ袋内の食品容器移動防止装置は、手提げポリ袋内、或いは食品容器の底部、又は周辺近傍に粘着固定して手提げポリ袋内の食品容器の移動を防止することになっている。ポリ袋内及び食品容器の底部、又は周辺近傍に粘着固定することは、収納者にとっては、取り扱いは面倒極まりなきことである。手提げポリ袋内の食品容器移動防止装置の構造が煩雑であり製作費用も嵩む。
特許文献２のお弁当手持ちは、店員がお弁当をビニール袋に入れる煩わしさを解消する解決手段とされているが、お弁当を１個購入したときは弁当箱に設けられた取っ手を持つことで水平に持つことができる。複数個購入されると弁当箱に設けられた取っ手を持つことができないので、店員がお弁当をビニール袋に入れる煩わしさを解消できなく、店員がお弁当をビニール袋に入れることになる。【０００６】  特許文献３の袋体は、加工が簡単にでき、底部が大きな物品でも水平にして収納することが可能なポリ袋となっている。解決手段として、幅方向の両側部が内側にＶ字状に折り込まれて折り込み部５，５′が形成されたポリ袋１において、折り込み部５，５′において四重に重なっている４枚の薄膜に打ち外側から２枚の薄膜の少なくとも一部を接合して接合部６，６′を形成することにより、底部が大きな物品をポリ袋１に入れた場合に広がる袋底を略四角形の平面とみなしたとき、接合部６，６′が形成されている側の袋角に対して、接合部６，６′が形成されていない側の袋角よりも強い力がかかるようにし、ポリ袋１にいれられた物品が傾斜しかかっても、その強い力に押し戻されて元の水平姿勢に復元されるようにするとあるが、しかし接合部６，６′は強い力が掛かるも物品をポリ袋に入れて確認されると判明することであるが接合されていない部分の袋角に物品は傾斜するようである。符号は特許文献の通り表示。【０００７】
【特許文献１】特開２００６−３１２４８２号公報
【特許文献２】特開２００８−６２３６号公報
【特許文献３】特開２００７−５５６１７号公報
【考案の開示】
【考案が解決しようとする課題】
【０００８】  以上に述べた従来のポリ袋は、直方体の食品容器を水平に保持するため粘着部材で食品容器を固定して移動するポリ袋は、ポリ袋の制作費用が嵩むこと、収納者の取り扱いが面倒である。弁当箱の両側に取っ手を設け１個の場合は取っ手をつり下げて水平移動することは出来るが複数個購入するとポリ袋に収納することになる。
ポリ袋に接合部６，６′を設けて水平を望んでいるが物品容器を収納してみると接合されていない袋角に物品は傾斜することなど課題がある（ポリ袋やビニール袋や袋体を本考案では以下：レジ袋と称する）。
店頭で販売されている食品容器に綺麗に盛りつけされた食品や、弁当の形を崩さないで目的地まで移動させたい。
レジ袋の加工が簡単で、食品容器や弁当容器（弁当容器を含めて以下：食品容器と称する）をレジ袋に収納したとき簡単に収納できてレジ袋の底部が水平であることを収納者が認識できる食品容器水平保持レジ袋を提供することを目的とする。【０００９】  本考案の前記ならびにそのほかの目的と新規な特徴は、次の説明を添付図面と照らし合わせて読むならば、より完全であり、明瞭になるであろう。図面は専ら解説のためのものであって、本考案の技術的範囲を限定するものではない。
【課題を解決するための手段】
【００１０】  上記目的を達成するために、本考案では、レジ袋５０の一端が熱融着により封止されて封止部５１が形成されるとともに他端が開口されて開口部５３が形成され、開口部５３は、レジ袋５０の口を結わえる紐となる紐部５４が形成され、幅方向の両端部が内部にＶ字状に折り込まれて奥行きとなる折り込み部５５が形成され幅方向の両端部の端が熱融着により封止されて、Ｖ字状に折り込まれた開口部５３の熱融着部分を手提げ部５２として形成されたレジ袋５０において、両端部の折り込み部５５は四重に重なっている４枚の薄膜の外側の一枚目に水平孔５６を熱溶融により４箇所に孔開けして形成され、食品容器や弁当容器をレジ袋５０に入れたとき当該容器の４角が水平孔５６に嵌り保持されるので底部に入れた物品はレジ袋５０を持ち上げると水平に保持される構成の食品容器水平保持レジ袋である。【００１１】  また、請求項２記載の考案では、請求項１記載の食品容器水平保持レジ袋であって、該レジ袋５０の４箇所に形成される水平孔５６の寸法位置は、熱融着により封止された封止部５１と、Ｖ字状に折り込まれて折り込み部５５が形成された交点５７と、食品容器や弁当容器である直方体の幅方向をａと幅寸法６０として、高さ方向をｂと高さ寸法６４として、奥行き方向をｃと奥行き寸法６２として、幅寸法６０は、熱融着により封止された封止部５１より短い幅寸法６０であること、両側から等しい幅寸法６１として封止部５１に平行して幅寸法６０として、奥行き寸法６４は、封止部５１から、垂直上方に奥行き寸法６４×１／２の寸法を１／２奥行き寸法６２として、幅寸法６０と、１／２奥行き寸法６２の交わる交点を交点６３として、交点６３と交点５７を直線６５で結び、交点６３と直線６５と、幅寸法６０との交点を水平孔５６の楕円の中心として、楕円の長辺を直線６５と平行に形成して、楕円の短辺は直方体の４角の高さ寸法６４が嵌ればよい、楕円の長辺は、高さ寸法６４と等しい寸法として形成する構成の食品容器水平保持レジ袋である。
【考案の効果】
【００１２】  以下の説明から明らかになるように、本考案にあっては次に列挙する通りである。【００１３】  請求項１の本考案は、レジ袋の一端が熱融着により封止されて封止部が形成されるとともに他端が開口されて開口部が形成され、開口部は、レジ袋の口を結わえる紐となる紐部が形成され、幅方向の両端部が内部にＶ字状に折り込まれて奥行きとなる折り込み部が形成され幅方向の両端部の端が熱融着により封止されて、Ｖ字状に折り込まれた開口部の熱融着部分を手提げ部として形成されたレジ袋において、両端部の折り込み部は四重に重なっている４枚の薄膜の外側の一枚目に水平孔を熱溶融により４箇所に孔開けして形成され、食品容器や弁当容器をレジ袋に入れたとき当該容器の４角が水平孔に嵌り保持されるので底部に入れた物品はレジ袋を持ち上げると水平に保持される構成の食品容器水平保持レジ袋であるので、レジ袋の加工が簡単で、直方体の食品容器や弁当容器をレジ袋に収納したとき収納者は、直方体の食品容器や弁当容器の四角を４箇所の水平孔に嵌めれば簡単に収納できて、収納した食品容器や弁当容器がレジ袋の底部で水平になることを収納者が認識できる。食品容器や弁当容器が円形であっても、当該レジ袋に収納すれば、４箇所の水平孔に保持されるのでレジ袋を持ち上げて水平を認識できる。レジ袋の加工が簡単で、食品容器や弁当容器をレジ袋に収納する場合利用者は考えることなく簡単に４角の水平孔に嵌めればよい。水平であることを収納者が認識できる優れ物であり、底辺を水平にするので、その上方に他の食品容器を水平に重ねることが出来る食品容器水平保持レジ袋を提供することができる。【００１４】  また、請求項２記載の考案では、請求項１記載の食品容器水平保持レジ袋であって、該レジ袋の４箇所に形成される水平孔の寸法位置は、熱融着により封止された封止部と、Ｖ字状に折り込まれて折り込み部が形成された交点５７と、食品容器や弁当容器である直方体の幅方向をａと幅寸法６０として、高さ方向をｂと高さ寸法６４として、奥行き方向をｃと奥行き寸法６２として、幅寸法６０は、熱融着により封止された封止部５１より短い幅寸法６０であること、両側から等しい幅寸法６１として封止部５１に平行して幅寸法６０として、奥行き寸法６４は、封止部５１から、垂直上方に奥行き寸法６４×１／２の寸法を１／２奥行き寸法６２として、幅寸法６０と、１／２奥行き寸法６２の交わる交点を交点６３として、交点６３と交点５７を直線６５で結び、交点６３と直線６５と、幅寸法６０との交点を水平孔５６の楕円の中心として、楕円の長辺を直線６５と平行に形成して、楕円の短辺は直方体の４角の高さ寸法６４が嵌ればよい、楕円の長辺は、高さ寸法６４と等しい寸法として形成する構成の食品容器水平保持レジ袋であるので、レジ袋の加工は本考案の寸法に合わせて形成すればよいので加工は簡単である。
【考案を実施するための最良の形態】
【００１５】  以下、図面に示す実施するための最良の形態により、本考案を説明する。
【実施例１】
【００１６】  図１〜図６に示す本考案の第１に実施するための第１の実施の形態において、図１は、本考案の食品容器水平保持レジ袋の斜視図を示した図である。
レジ袋とは、コンビニエンスストアやスーパーマーケット等の小売店において、購入した持ち帰り商品を入れるためにレジで渡されるビニールやポリオレフィン等の材質で作られた袋を指す通称で買物袋の一種である。本考案においては、食品容器水平保持レジ袋５０と称する（以下：省略してレジ袋５０と称する場合もある）。
レジ袋５０に収納する食品容器や弁当容器である直方体の幅方向をａと幅寸法６０として、高さ方向をｂと高さ寸法６４として、奥行き方向をｃと奥行き寸法６２とする。
レジ袋５０の一端が熱融着により封止されて封止部５１が形成されるとともに他端が開口されて開口部５３が形成され、開口部５３は、レジ袋５０の口を結わえる紐となる紐部５４が形成され、幅方向の両端部が内部にＶ字状に折り込まれて奥行きになる折り込み部５５が形成され幅方向の両端部の端が熱融着により封止されて、Ｖ字状に折り込まれた開口部５３の熱融着部分を手提げ部５２として形成されたレジ袋５０において、両端部の折り込み部５５は四重に重なっている４枚の薄膜の外側の一枚目に水平孔５６を熱溶融により４箇所に孔開けして形成され、食品容器や弁当容器をレジ袋５０に入れたとき当該容器の４角が水平孔５６に嵌り保持されるので底部に入れた物品はレジ袋５０を持ち上げると水平に保持される構成の食品容器水平保持レジ袋である。
レジ袋５０は、ビニールやポリオレフィン等の材質で作られているので熱溶融しやすい。
水平孔５６は直方体の４角が嵌って力が加わるので水平孔５６は強さを必要となるので水平孔５６を強くするため熱溶融して孔を開け形成する。【００１７】  図２は、本考案の食品容器水平保持レジ袋の平面を示した図である。
本考案の食品容器水平保持レジ袋５０は、一端が熱融着により封止されて封止部５１が形成されるとともに他端が開口されて開口部５３が形成され、開口部５３は、レジ袋５０の口を結わえる紐となる紐部５４が形成され、幅方向の両端部が内部にＶ字状に折り込まれて奥行きとなる折り込み部５５が形成され幅方向の両端部の端が熱融着により封止されて、Ｖ字状に折り込まれた開口部５３の一部分を手提げ部５２として形成されたレジ袋５０である。
レジ袋５０の両端部の折り込み部５５は四重に重なっている４枚の薄膜の外側の一枚目に水平孔５６を熱溶融により４箇所に孔あけして形成され、食品容器や弁当容器をレジ袋５０に入れたとき当該容器の４角が水平孔５６に嵌り保持されるので底部に入れた物品はレジ袋５０を持ち上げると水平に保持される構成の食品容器水平保持レジ袋である。【００１８】  食品容器水平保持レジ袋であって、該レジ袋５０の４箇所に形成される水平孔５６の寸法位置を図２で説明する。
レジ袋５０の両端部の折り込み部５５は四重に重なっている。熱融着により封止された封止部５１は底部となる。Ｖ字状に折り込まれ四重に重なっているＶ字の下方は封止部５１と交わる。交点を交点５７とする。両側に交点５７はあることになる。
レジ袋５０に収納する食品容器や弁当容器である直方体の幅方向をａと幅寸法６０として、高さ方向をｂと高さ寸法６４として、奥行き方向をｃと奥行き寸法６２とする。
レジ袋５０に収納できる直方体の幅寸法６０は、熱融着により封止された封止部５１より短い幅寸法６０であること、両側から等しい幅寸法６１をとり封止部５１に平行して幅寸法６０とする。
直方体の奥行き寸法６４は、封止部５１から、垂直上方に奥行き寸法６４×１／２の寸法を１／２奥行き寸法６２とする。
幅寸法６０の両側の点と、１／２奥行き寸法６２の交わる点を交点６３とする。交点６３と交点５７を直線６５で結ぶ。交点６３と直線６５と、幅寸法６０の両側の点の交点を水平孔５６の楕円の中心とする。楕円の長辺を直線６５と平行に形成する。楕円の短辺は直方体の４角の高さ寸法６４が嵌ればよい。楕円の長辺は、高さ寸法６４と等しい寸法又は、楕円の長辺を若干（５ｍｍ程度まで）長く形成する構成の食品容器水平保持レジ袋である。水平孔５６の楕円をレジ袋に加工の際は、Ｖ字状に折り込まれ四重にする前段階の工程で二重のとき熱溶融により二重の状態で２枚の孔開け加工を一度にすることは言うまでもない。【００１９】  図３は、直方体の食品容器や弁当容器の一例を示した図である。
図４は、図３に示した直方体の容器を収納するレジ袋を具体的な数値例で平面に示した図である。
レジ袋５０に収納する食品容器や弁当容器である直方体の幅方向をａ、幅寸法６０は２１０ｍｍとして、高さ方向をｂ、高さ寸法６４は２５ｍｍとして、奥行き方向をｃ、奥行き寸法６２は１６０ｍｍとする容器を収納するレジ袋５０の４角に形成する水平孔を求める。
レジ袋５０は、一端が熱融着により封止されて封止部５１が形成されるとともに他端が開口されて開口部５３が形成され、開口部５３は、レジ袋５０の口を結わえる紐となる紐部５４が形成され、幅方向の両端部が内部にＶ字状に折り込まれて奥行きになる折り込み部５５が形成され幅方向の両端部の端が熱融着により封止されて、Ｖ字状に折り込まれた開口部５３の熱融着部分を手提げ部５２として形成されている。
レジ袋５０は幅方向Ａ（横幅とも言われている）、高さ方向Ｂ、奥行き方向Ｃ（マチとも言われている）としてレジ袋の寸法を決める。【００２０】  直方体の幅寸法６０は２１０ｍｍであるので、レジ袋５０の幅方向Ａは２１０ｍｍ以上が必要となる。レジ袋の通常のサイズの幅方向Ａは２５０〜５００ｍｍがあり、５０ｍｍごとに区切られ、幅方向Ａは２５０ｍｍの次に大きな幅方向Ａのサイズは、３００ｍｍと区切られているので幅方向Ａが５００ｍｍまで６サイズある。
レジ袋５０の通常のサイズの奥行き方向Ｃは、１００〜１５０ｍｍがあり、１００，１２０，１３０，１４０，１５０，１５０ｍｍと５サイズがある。
レジ袋５０の通常のサイズの高さ方向Ｂは、５０ｍｍごとに区切られ、３５０〜６００ｍｍまで６サイズある。
直方体の幅寸法６０は２１０ｍｍと、高さ寸法６４は２５ｍｍと、奥行き寸法６２は１６０ｍｍとする直方体容器を収納するレジ袋５０は、幅方向Ａ２５０ｍｍと、奥行き方向Ｃ１２０ｍｍと、高さ方向Ｂ３５０ｍｍとする（以下当該レジ袋５０をレジ袋５０−Ｉと称する）。【００２１】  直方体容器をレジ袋５０−Ｉに水平に収納する水平孔５６を形成することが最終目標である。
水平孔５６は、次のような手順で決める。図４を参照する。
レジ袋５０−Ｉの封止部５１は底部であるので封止部５１を基点とする。封止部５１と平行に直方体の幅寸法６０の２１０ｍｍを決める。
レジ袋５０−Ｉの中央に幅寸法６０の２１０ｍｍを決めるに幅寸法６１を求める。
レジ袋５０−Ｉの余裕寸法は、幅方向Ａ−幅寸法６０＝幅方向Ａ２５０ｍｍ−幅寸法６０は２１０ｍｍ＝４０ｍｍ，余裕寸法×１／２は、求める両側から等しい幅寸法６１である。４０ｍｍ×１／２は両側から等しい幅寸法６１＝２０ｍｍである。
両側から等しい幅寸法６１を２０ｍｍとして、中央に幅寸法６０の２１０ｍｍを決める。
レジ袋５０−Ｉの奥行き寸法６２の１６０ｍｍを決める。
レジ袋５０−Ｉの奥行き方向Ｃは１２０ｍｍであるので直方体容器の奥行き寸法６２の１６０ｍｍは４０ｍｍ不足する。
レジ袋５０−Ｉの奥行き寸法は、直方体の奥行き寸法６４として、封止部５１から、垂直上方に奥行き寸法６４×１／２の寸法を１／２の奥行き寸法６２とする。
レジ袋５０−Ｉにおいて直方体容器の奥行き寸法６２の１６０ｍｍを確保するに、直方体の奥行き寸法６２の１６０ｍｍ×１／２＝８０ｍｍ，レジ袋５０の奥行き寸法６２は、８０ｍｍを封止部５１から垂直上方に決める。【００２２】  図４の平面に示した図のように、レジ袋５０−Ｉの底部である封止部５１を基点として、レジ袋５０−Ｉの奥行き寸法６２は、８０ｍｍを封止部５１から垂直上方に決める。レジ袋５０−Ｉの両側から等しい幅寸法６１を２０ｍｍとして、中央に幅寸法６０の２１０ｍｍを決める。封止部５１から垂直上方に決めた８０ｍｍの奥行き寸法６２と、レジ袋５０−Ｉの封止部５１と平行に中央に決めた２１０ｍｍの幅寸法６０と交わる点を交点６３とする。交点６３と交点５７を直線６５で結ぶ。交点６３と直線６５と、幅寸法６０の両側の点の交点を水平孔５６の楕円の中心とする。楕円の長辺を直線６５と平行に形成する。
レジ袋５０−Ｉの水平孔５６の楕円の長辺は、直方体の高さ寸法６４は２５ｍｍであるので同じく２５ｍｍとする。楕円の短辺は直方体の４角の高さ寸法６４が嵌ればよい寸法として形成する構成の食品容器水平保持レジ袋である。
【産業上の利用可能性】
【００２３】  本考案の食品容器水平保持レジ袋は、該レジ袋を製造し販売する産業において利用され、コンビニエンスストアやスーパーマーケット等の小売店において、購入した持ち帰り商品を入れるためにレジで渡され利用される。
【図面の簡単な説明】
【００２４】
【図１】本考案の食品容器水平保持レジ袋の斜視図を示した図である。
【図２】は、本考案の食品容器水平保持レジ袋の平面を示した図である。
【図３】は、直方体の食品容器や弁当容器の一例を示した図である。
【図４】は、図３に示した直方体の容器を収納するレジ袋を具体的な数値例で平面に示した図である。
【図５】は、従来からある一般的なレジ袋を広げた状態を示した斜視図である。
【図６】は、図５の平面を示した平面図である。
【図７】は、図６のＡ−Ａの断面を示した断面図である。
【図８】は、図５の底面を示した底面図である。
【図９】は、特許文献１の図１で示された手提げポリ袋へ食品容器を収納した平面図である。
【図１０】は、特許文献１の図３で示された手提げポリ袋内へ粘着部材を設けた図である。
【図１１】は、特許文献３の図１で示された袋体を実施したポリ袋の平面図である。
【図１２】は、特許文献３の図３で示された袋体を実施したポリ袋を広げた状態の斜視図である。
【符号の説明】
【００２５】５０  レジ袋
５１  封止部
５２  手提げ部
５３  開口部
５４  紐部
５５  折り込み部
５６  水平孔
５７  交点
６０  幅寸法
６１  幅寸法
６２  １／２×奥行き寸法
６３  交点
６４  奥行き寸法
Ａ  幅方向（レジ袋）
Ｂ  高さ方向（レジ袋）
Ｃ  奥行き方向（レジ袋）
ａ  幅方向（直方体）
ｂ  高さ方向（直方体）
ｃ  奥行き方向（直方体）
【図１】
0003146353.tif 000003
【図２】
0003146353.tif 000004
【図３】
0003146353.tif 000005
【図４】
0003146353.tif 000006
【図５】
0003146353.tif 000007
【図６】
0003146353.tif 000008
【図７】
0003146353.tif 000009
【図８】
0003146353.tif 000010
【図９】
0003146353.tif 000011
【図１０】
0003146353.tif 000012
【図１１】
0003146353.tif 000013
【図１２】
0003146353.tif 000014